(57)【要約】【課題】  通信内容に応じて優先転送を実現し、付与する制御パラメータ自体の正当性、信頼性を確保し、網毎に適切な制御パラメータを付与することが出来る優先転送システムを提供する。【解決手段】  主情報を送信する情報送信手段を有する端末装置２０、３０と、主情報にセッション制御と連動した優先情報をパケットに付与して転送する情報転送手段を有する転送系装置と５０、６０、転送系装置による転送に使用される優先シンボルを生成する優先シンボル生成手段を有する制御系装置４０とを備え、端末装置は、優先シンボルを内部に含んだ前記情報転送手段で優先転送するために必要となる転送系優先転送情報を転送する転送系優先転送情報生成手段を有し、情報転送手段は、前記転送系優先転送情報に基づいた制御パラメータを主情報に付与する。【選択図】      図１
2006246144.tif 000002
【特許請求の範囲】
【請求項１】
主情報およびセッション制御信号を送受信する端末装置と、前記端末装置から前記主情報の送受信および転送を行う情報転送処理手段を有する転送系装置と、前記端末装置からの前記セッション制御信号を送受信し、前記端末装置間のセッション制御を行う制御系装置を含むセッション連動型優先転送システムにおいて、
前記制御系装置は、
前記端末装置間でセッションを確立する際のセッション制御情報から、当該セッションで送受信される主情報の優先度合いを示す優先シンボルを生成する優先シンボル生成手段を有し、
前記端末装置は、前記制御系装置から取得した優先シンボルを含む転送系制御転送情報を生成する転送系優先転送情報生成手段を有し、
前記転送系装置は、
前記端末装置から受信した転送系制御転送情報に含まれる優先シンボルを、転送系装置において主情報を制御するために必要な制御パラメータに翻訳する制御パラメータ決定手段を有し、前記情報転送処理手段において翻訳された前記制御パラメータを主情報に付与することを特徴とするセッション連動型優先転送システム。
【請求項２】
前記転送系装置は、当該セッションと当該制御パラメータの対応を記憶する制御パラメータ記憶手段とを有し、
情報転送処理手段は、端末装置からの主情報に転送系制御転送情報が付与されていない場合は制御パラメータ記憶手段から制御パラメータを取得し主情報に付与することを特徴とする請求項１記載のセッション連動型優先転送システム。
【請求項３】
前記優先シンボルを生成するためのセッション制御情報には、端末装置のアドレスに関する情報もしくは主情報のメディアタイプに関する情報の少なくともいずれか一方が含まれることを特徴とする請求項１または２記載のセッション連動型優先転送システム。
【請求項４】
前記制御系装置は、前記転送系装置において前記優先シンボルが前記制御系装置で生成されたことを承認するための承認情報を生成する承認情報生成手段を有し、
前記端末装置における前記転送系優先転送情報生成手段は、前記承認情報を含む転送系制御転送情報を生成し、
前記転送系装置は、前記承認情報を承認するための承認手段を有することを特徴とする請求項１〜３に記載のセッション連動型優先転送システム。
【請求項５】
前記承認情報は、少なくとも前記優先シンボルを含む情報が暗号化されていることを特徴とする請求項４記載のセッション連動型優先転送システム。
【請求項６】
前記暗号化は、公開鍵暗号化方式における制御系装置の秘密鍵であることを特徴とする請求項５記載のセッション連動型優先転送システム。
【請求項７】
主情報およびセッション制御信号を送受信する端末装置と、前記端末装置から前記主情報の送受信および転送を行う転送系装置とはネットワークを介して接続される、セッション連動型優先転送システムにおける制御系装置であって、
前記端末装置間でセッションを確立する際のセッション制御情報から、当該セッションで送受信される主情報の優先度合いを示す優先シンボルを生成する優先シンボル生成手段と、
前記転送系装置で承認に使用される承認情報を生成する承認情報生成手段とを備え、
前記制御シンボル生成手段は、前記情報転送処理手段で主情報にセッション制御と連動した制御パラメータを付与する際に基となる優先シンボルを生成し、
前記承認情報生成手段は、前記情報転送処理手段で制御情報を付与する際に基となる優先シンボルを含む前記承認情報を生成することを特徴とする制御系装置。
【請求項８】
主情報の送受信および転送を行う転送系装置と、セッション制御信号を送受信し、端末装置間のセッション制御を行う制御系装置とはネットワークを介して接続される、セッション連動型優先転送システムにおける前記端末装置であって、
前記主情報を送信する情報送信手段と、
前記制御系装置から取得した優先シンボルを含む転送系制御転送情報を生成する転送系優先転送情報生成手段とを有し、
前記情報送信手段は、前記主情報ならびに前記転送系制御転送情報を前記転送系装置に送信することを特徴とする端末装置。
【請求項９】
主情報およびセッション制御信号を送受信する端末装置と、前記端末装置からの前記セッション制御信号を送受信し、前記端末装置間のセッション制御を行う制御系装置とはネットワークを介して接続される、セッション連動型優先転送システムにおける転送系装置であって、
前記制御系装置によって生成される前記優先シンボルを含む転送系制御転送情報と、前記端末装置によって送信される前記主情報を転送する情報転送処理手段と、
前記端末装置から受信した転送系制御転送情報に含まれる優先シンボルを、転送系装置において主情報を制御するために必要な制御パラメータに翻訳する制御パラメータ決定手段をと有し、
前記情報転送処理手段において前記翻訳された前記制御パラメータを主情報に付与することを特徴とする転送系装置。
【請求項１０】
主情報およびセッション制御信号を送受信する端末装置と、前記端末装置から前記主情報の送受信および転送を行う転送系装置とはネットワークを介して接続される、セッション連動型優先転送システムにおける制御系装置に用いられるプログラムであって、
前記端末装置間でセッションを確立する際のセッション制御情報から、当該セッションで送受信される主情報の優先度合いを示す優先シンボルを生成する第１のステップと、
前記転送系装置で承認に使用される承認情報を生成する第２のステップとを有し、
前記第１のステップは、前記主情報にセッション制御と連動した制御パラメータを付与する際に基となる優先シンボルを生成するサブステップを含み、
前記第２のステップは、前記制御情報を付与する際に基となる優先シンボルを含む前記承認情報を生成するサブステップを含み、前記各ステップをコンピュータに実行させるプログラム。
【請求項１１】
主情報の送受信および転送を行う転送系装置と、セッション制御信号を送受信し、端末装置間のセッション制御を行う制御系装置とはネットワークを介して接続される、セッション連動型優先転送システムにおける前記端末装置に用いられるプログラムであって、
前記主情報を送信する第１のステップと、
前記制御系装置から取得した優先シンボルを含む転送系制御転送情報を生成する第２のステップとを有し、
前記第１のステップは、前記主情報ならびに前記転送系制御転送情報を前記転送系装置に送信するサブステップを含み、前記各ステップをコンピュータに実行させるプログラム。
【請求項１２】
主情報およびセッション制御信号を送受信する端末装置と、前記端末装置からの前記セッション制御信号を送受信し、前記端末装置間のセッション制御を行う制御系装置とはネットワークを介して接続され、前記端末装置から前記主情報の送受信および転送を行う、セッション連動型優先転送システムにおける転送系装置に用いられるプログラムであって、
前記制御系装置によって生成される前記優先シンボルを含む転送系制御転送情報と、前記端末装置によって送信される前記主情報を転送する第１のステップと、
前記端末装置から受信した転送系制御転送情報に含まれる優先シンボルを、前記転送系装置において主情報を制御するために必要な制御パラメータに翻訳する第２のステップとを有し、
前記第１のステップは、前記第２のステップにおいて翻訳された前記制御パラメータを主情報に付与するサブステップを含み、前記各ステップをコンピュータに実行させるプログラム。
【発明の詳細な説明】
【技術分野】
【０００１】
本発明は、端末装置間で送信される情報を優先転送する、セッション連動型優先転送システム、および同システムにおける制御系装置、転送系装置、端末装置、ならびにプログラムに関する。
【背景技術】
【０００２】
優先転送システムとして、インターネットの標準化機関であるＩＥＴＦ（Internet Engineering Task Force）が取り纏めしている規格書の中にＲＦＣ２４７５（RequestforCnmment2475「An Architecture for Different iated Service」）がある。
この規格は、情報を転送するパケットのＩＰ（Internet Protocol）ヘッダのＴＯＳ（Type Of Service)フィールドと呼ばれる制御パラメータ情報を格納する領域を利用したもので、優先転送を行いたいＩＰパケットのＴＯＳフィールドに適切な値を格納し、転送系装置で参照したＴＯＳフィールドの値に応じてパケットを優先転送する方式を示している（例えば、非特許文献１参照）。
【０００３】
従来の優先転送システムは、端末で付与されたＴＯＳフィールドの値を基に網内の転送系装置で優先転送を行う。
【非特許文献１】S.  Blake、他６名、”An Architecture for Differentiated Services”、［Online］、RFC2475、インターネットＵＲＬ＜http://www.ietf.or/rfc/rfc2475.text?number=2475、pp4-5、12-13。
【発明の開示】
【発明が解決しようとする課題】
【０００４】
上記した従来の優先転送システムでは、端末側で値を付与する場合にはその値の正当性確保が難しい。また，転送系装置で値を付与する場合には一般的に転送系装置では通信内容について関知しないため通信内容に適した値を付与することが出来ない、といった問題が存在する。一般に、ＴＯＳフィールドの値をどのような優先転送処理に対応づけるかは、網ごとの優先転送に対するポリシーにより決まるため、異なる網では同じＴＯＳフィールドの値でも優先転送の内容が異なる可能性がある。
従って、異なる優先転送ポリシーを持つ網を跨った通信を行う際には、端末でＴＯＳフィールドの値を一意に決めることが難しい。
【０００５】
本発明は、上記問題を解決するためになされたものであり、通信の内容に応じて制御パラメータを付与し、その制御パラメータの妥当性確保して、網を跨る通信の際の優先転送ポリシーを追従できる、セッション連動型優先転送システム、および同システムにおける制御系装置、転送系装置、端末装置、ならびにプログラムを提供することを目的とする。
【課題を解決するための手段】
【０００６】
上記した課題を解決するために本発明は、主情報およびセッション制御信号を送受信する端末装置と、前記端末装置から前記主情報の送受信および転送を行う情報転送処理手段を有する転送系装置と、前記端末装置からの前記セッション制御信号を送受信し、前記端末装置間のセッション制御を行う制御系装置を含むセッション連動型優先転送システムにおいて、前記制御系装置は、前記端末装置間でセッションを確立する際のセッション制御情報から、当該セッションで送受信される主情報の優先度合いを示す優先シンボルを生成する優先シンボル生成手段を有し、前記端末装置は、前記制御系装置から取得した優先シンボルを含む転送系制御転送情報を生成する転送系優先転送情報生成手段を有し、前記転送系装置は、前記端末装置から受信した転送系制御転送情報に含まれる優先シンボルを、転送系装置において主情報を制御するために必要な制御パラメータに翻訳する制御パラメータ決定手段を有し、前記情報転送処理手段において翻訳された前記制御パラメータを主情報に付与することを特徴とする。
【０００７】
また、本発明において、前記転送系装置は、当該セッションと当該制御パラメータの対応を記憶する制御パラメータ記憶手段とを有し、情報転送処理手段は、端末装置からの主情報に転送系制御転送情報が付与されていない場合は制御パラメータ記憶手段から制御パラメータを取得し主情報に付与することを特徴とする。
【０００８】
また、本発明において、前記優先シンボルを生成するためのセッション制御情報には、端末装置のアドレスに関する情報もしくは主情報のメディアタイプに関する情報の少なくともいずれか一方が含まれることを特徴とする。
【０００９】
また、本発明において、前記制御系装置は、前記転送系装置において前記優先シンボルが前記制御系装置で生成されたことを承認するための承認情報を生成する承認情報生成手段を有し、前記端末装置における前記転送系優先転送情報生成手段は、前記承認情報を含む転送系制御転送情報を生成し、前記転送系装置は、前記承認情報を承認するための承認手段を有することを特徴とする。
【００１０】
また、本発明において、前記承認情報は、少なくとも前記優先シンボルを含む情報が暗号化されていることを特徴とする。
【００１１】
また、本発明において、前記暗号化は、公開鍵暗号化方式における制御系装置の秘密鍵であることを特徴とする。
【００１２】
また、本発明は、主情報およびセッション制御信号を送受信する端末装置と、前記端末装置から前記主情報の送受信および転送を行う転送系装置とはネットワークを介して接続される、セッション連動型優先転送システムにおける制御系装置であって、前記端末装置間でセッションを確立する際のセッション制御情報から、当該セッションで送受信される主情報の優先度合いを示す優先シンボルを生成する優先シンボル生成手段と、前記転送系装置で承認に使用される承認情報を生成する承認情報生成手段とを備え、前記制御シンボル生成手段は、前記情報転送処理手段で主情報にセッション制御と連動した制御パラメータを付与する際に基となる優先シンボルを生成し、前記承認情報生成手段は、前記情報転送処理手段で制御情報を付与する際に基となる優先シンボルを含む前記承認情報を生成することを特徴とする。
【００１３】
また、本発明は、主情報の送受信および転送を行う転送系装置と、セッション制御信号を送受信し、端末装置間のセッション制御を行う制御系装置とはネットワークを介して接続される、セッション連動型優先転送システムにおける前記端末装置であって、前記主情報を送信する情報送信手段と、前記制御系装置から取得した優先シンボルを含む転送系制御転送情報を生成する転送系優先転送情報生成手段とを有し、前記情報送信手段は、前記主情報ならびに前記転送系制御転送情報を前記転送系装置に送信することを特徴とする。
【００１４】
また、本発明は、主情報およびセッション制御信号を送受信する端末装置と、前記端末装置からの前記セッション制御信号を送受信し、前記端末装置間のセッション制御を行う制御系装置とはネットワークを介して接続される、セッション連動型優先転送システムにおける転送系装置であって、前記制御系装置によって生成される前記優先シンボルを含む転送系制御転送情報と、前記端末装置によって送信される前記主情報を転送する情報転送処理手段と、前記端末装置から受信した転送系制御転送情報に含まれる優先シンボルを、転送系装置において主情報を制御するために必要な制御パラメータに翻訳する制御パラメータ決定手段をと有し、前記情報転送処理手段において前記翻訳された前記制御パラメータを主情報に付与することを特徴とする。
【００１５】
また、本発明は、主情報およびセッション制御信号を送受信する端末装置と、前記端末装置から前記主情報の送受信および転送を行う転送系装置とはネットワークを介して接続される、セッション連動型優先転送システムにおける制御系装置に用いられるプログラムであって、前記端末装置間でセッションを確立する際のセッション制御情報から、当該セッションで送受信される主情報の優先度合いを示す優先シンボルを生成する第１のステップと、前記転送系装置で承認に使用される承認情報を生成する第２のステップとを有し、前記第１のステップは、前記主情報にセッション制御と連動した制御パラメータを付与する際に基となる優先シンボルを生成するサブステップを含み、前記第２のステップは、前記制御情報を付与する際に基となる優先シンボルを含む前記承認情報を生成するサブステップを含み、前記各ステップをコンピュータに実行させることを特徴とする。
【００１６】
また、本発明は、主情報の送受信および転送を行う転送系装置と、セッション制御信号を送受信し、端末装置間のセッション制御を行う制御系装置とはネットワークを介して接続される、セッション連動型優先転送システムにおける前記端末装置に用いられるプログラムであって、前記主情報を送信する第１のステップと、前記制御系装置から取得した優先シンボルを含む転送系制御転送情報を生成する第２のステップとを有し、前記第１のステップは、前記主情報ならびに前記転送系制御転送情報を前記転送系装置に送信するサブステップを含み、前記各ステップをコンピュータに実行させることを特徴とする。
【００１７】
また、本発明は、主情報およびセッション制御信号を送受信する端末装置と、前記端末装置からの前記セッション制御信号を送受信し、前記端末装置間のセッション制御を行う制御系装置とはネットワークを介して接続され、前記端末装置から前記主情報の送受信および転送を行う、セッション連動型優先転送システムにおける転送系装置に用いられるプログラムであって、前記制御系装置によって生成される前記優先シンボルを含む転送系制御転送情報と、前記端末装置によって送信される前記主情報を転送する第１のステップと、前記端末装置から受信した転送系制御転送情報に含まれる優先シンボルを、前記転送系装置において主情報を制御するために必要な制御パラメータに翻訳する第２のステップとを有し、前記第１のステップは、前記第２のステップにおいて翻訳された前記制御パラメータを主情報に付与するサブステップを含み、前記各ステップをコンピュータに実行させることを特徴とする。
【発明の効果】
【００１８】
本発明によれば、制御系装置によって生成される優先情報を含む承認情報を用いて転送系装置で制御パラメータ決定を行うため、従来の端末側で制御パラメータ情報を付与する方式よりも制御パラメータの正当性が確保され、また、制御系装置が端末の要求を元に優先シンボルを生成するため、通信内容に適した優先転送が可能になる。
また、本発明のセッション連動型優先転送システムにおいて、制御系装置は端末が行う通信に応じた優先シンボルとして、主情報の通過する網の制御パラメータを優先シンボル生成手段が直接付与する構成をとっていることから、通信内容に対する制御パラメータを付与する際のルールが変更される毎、制御系装置のみが変更に追従すれば良いことになり、従って運用性の向上に繋がる。
【００１９】
また、本発明のセッション連動型優先転送システムによれば、制御系装置は端末が行う通信に応じた制御パラメータを優先シンボルとして与え、転送系装置は承認手段による承認が成功したのちに得られた優先シンボルを基に制御パラメータ決定手段によって主情報に付与する制御パラメータを決定する構成をとるため、制御系装置は、転送系装置の存在する網のルールに従った制御パラメータ付けを柔軟に行うことが出来る。
更に、主情報に対する転送系装置の優先転送を複数のパケットに対して共通に行うことができるため、主情報に対する転送系装置の動作をバケット毎に優先転送する場合と比較して、端末装置及び転送系装置の処理負担を軽減することができる。また、主情報は、バケット毎に転送系優先転送情報が付された構成を有していることから、主情報に対する転送系装置の優先転送をバケット毎に行うことができ、従って、転送系装置の動作を複数のパケットに対して共通に優先転送する場合と比較して、主情報に対する転送系装置の優先転送を詳細に行うことができる。
【００２０】
また、本発明の制御系装置によれば、主情報を転送する転送系装置による承認に使用され、かつ、主情報を送信する端末装置によって生成される転送系装置の優先転送を行う転送系優先転送情報に含められる承認情報を生成する承認情報生成手段を有することで、優先シンボルに基づいて優先転送を行うことができ、主情報に付与する制御パラメータの正当性、主情報の内容に即した制御パラメータの付与が容易になる。
更に、本発明の転送系装置によれば、制御系装置によって生成された承認情報と優先シンボルを用いて転送系装置の優先転送を行うため、主情報に付与する制御パラメータの正当性、主情報の内容に即した制御パラメータの付与が容易になり、更に、優先シンボルを基に制御パラメータ決定手段が制御パラメータを決定するため、網を跨る通信の際にも網毎に適切な制御パラメータを付与することが容易になる。
また、本発明の端末装置によれば、制御系装置によって生成された承認情報と優先シンボルを用いて転送系装置の優先転送を行うため、主情報に付与する制御パラメータの正当性と主情報の内容に応じた優先転送が容易になる。
【００２１】
上記したように本発明によれば、通信の内容に応じた制御パラメータ付けが従来に比較して容易に行うことができ、ここで付与された制御パラメータの正当性は従来に比較して信頼性が高く、網を跨る通信の際にも網毎に適切な制御パラメータを付与すること容易としたセッション連動型優先転送システム、および同システムにおける制御系装置、転送系装置、端末装置ならびにプログラムを提供することが出来る。
【発明を実施するための最良の形態】
【００２２】
図１は、本発明実施形態にかかわるセッション連動型優先転送システムのシステム構成の一例を示す図である。
図１に示されるように、本実施実施形態にかかわるセッション連動型優先転送システム１１０は、互いに通信可能な端末装置２０、３０と、端末装置２０、３０間のセッションを制御する制御系装置としてのセッション制御サーバ（以下「ＳＳ」という） ４ ０と、端末装置２０、３０の間に配置された転送系装置（以下「ＥＲ」という）５０および６０から構成される。なお、上記した端末装置２０、３０、ＳＳ４０、ＥＲ５０、６０は、ネットワーク（網）１１を介して接続されている。なお、ＥＲ５０および６０は、中継網７０を介して接続される。
【００２３】
また、端末装置２０は、承認情報である、後述するＳｉｇｎ（＃１、＃２、Ｐ１、Ｐ２、Ｐｒ、ｔｉｍｅ)及びＳｉｇｎ （＃１、＃２、Ｐ１、Ｐ２、Ｐｒ、ｔｉｍｅ＿ｎｅｗ)を付した転送系優先転送情報である後述するｓｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ）、Ｓｔａｒｔ（＃１、井２、Ｐ１、Ｐ２、Ｐｒ、ｔｉｍｅ＿ｎｅｗ）、Ｓｉｇｎ（＃１、＃２、Ｐ１、Ｐ２、Ｐｒ、ｔｉｍｅ＿ｎｅｗ）およびＥｎｄ（＃１、＃２、Ｐ１、Ｐ２、Ｓｉｇｎ（＃１、＃２、Ｐ１、Ｐ２））を生成する転送系優先転送情報生成手段としての転送系優先転送情報生成部２５と、情報を送受信する送受信部２３とを有している。ここで、送受信部２３は、転送系優先転送情報をＥＲ５０に送信するようになっており、情報送信手段を構成している。
また、Ｓｔａｒｔ（＃１、＃２、Ｐ１、Ｐ２、Ｐｒ、ｔｉｍｅ、Ｓｉｇｎ(＃１、＃２、Ｐ１、Ｐ２、Ｐｒ、ｔｉｍｅ））、Ｓｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））およびＥｎｄ（＃１、＃２、Ｐ１、Ｐ２、Ｓｉｇｎ（＃１、＃２、Ｐ１、Ｐ２））は、端末装置２０および端末装置３０の間の通信に関するＥＲ５０で付与する制御パラメータをＥＲ５０に決定させる転送系優先転送情報である。
【００２４】
同様に、端末装置３０は、承認情報である、後述するＳｉｇｎ（＃１、＃２、Ｐ１、Ｐ２、Ｐｒ、ｔｉｍｅ)及びＳｉｇｎ （＃１、＃２、Ｐ１、Ｐ２、Ｐｒ、ｔｉｍｅ＿ｎｅｗ)を付した転送系優先転送情報である後述するｓｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ）、Ｓｔａｒｔ（＃１、井２、Ｐ１、Ｐ２、Ｐｒ、ｔｉｍｅ＿ｎｅｗ）、Ｓｉｇｎ（＃１、＃２、Ｐ１、Ｐ２、Ｐｒ、ｔｉｍｅ＿ｎｅｗ）およびＥｎｄ（＃１、＃２、Ｐ１、Ｐ２、Ｓｉｇｎ（＃１、＃２、Ｐ１、Ｐ２、Ｐｒ、ｔ ｉｍｅ＿ｎｅｗ）を生成する転送系優先転送情報生成手段としての転送系優先転送情報生成部３５と、情報を送受信する送受信部３３とを有している。ここで、送受信部２３は、転送系優先転送情報をＥＲ５０送信するようになっており、情報送信手段を構成している。
また、Ｓｔａｒｔ（＃１、＃２、Ｐ１、Ｐ２、Ｐｒ、ｔｉｍｅ、Ｓｉｇｎ(＃１、＃２、Ｐ１、Ｐ２、Ｐｒ、ｔｉｍｅ））、Ｓｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ？ｎｅｗ））およびＥｎｄ（＃１、＃２、Ｐ１、Ｐ２、Ｓｉｇｎ（＃１、＃２、Ｐ１、Ｐ２））は、端末装置２０および端末装置３０の間の通信に関するＥＲ５０で付与する制御パラメータをＥＲ５０に決定させる転送系優先転送情報である。
【００２５】
一方、制御系装置としてのＳＳ４０は、承認情報等の情報を端末装置２０や端末装置３０との間で送受信する送受信部４１と、セッション信号を元に主情報を転送する際の網内での制御パラメータを表す優先シンボルを生成する優先シンボル生成部４３と、端末装置２０に関する情報であるＩＰアドレスとポート番号、端末装置３０に関する情報であるＩＰアドレスとポート番号、ならびに優先シンボルに基づいた承認情報を生成する承認情報生成手段としての承認情報生成部４２とを有している。
なお、ここで使用されるＳＩＰ（Session Initiation Protocol）メッセージのパラメータは、ＳＤＰ（Session Description Protocol）で記述されることとする。
【００２６】
また、転送系装置としてのＥＲ５０は、ＳＳ４０の公開鍵と転送系優先転送情報内の承認情報とに基づいて承認を行う承認手段としての承認部５２と、セッション信号により確立されたセッションごとの制御パラメータ情報を記憶する制御パラメータ記憶手段としての制御パラメータ記憶部５３と、優先シンボルと網内での優先転送に用いるためにパケットのヘッダ内に記述する制御パラメータ情報の対応情報を保持し、承認部５２による承認が成功したときに転送系優先転送情報に含まれる優先シンボルを基に制御パラメータ記憶部５３内の制御パラメータを決定する制御パラメータ決定部５４と、制御パラメータ記憶部５３によって記憶された当該セッションの制御パラメータ情報を主情報のパケットヘッダ内の制御パラメータを表示するフィールドに書き込んで転送する情報転送処理部５１で構成される。
ここで、ＳＳ４０の公開鍵は、承認情報の承認に使用される承認鍵情報を構成している。
【００２７】
同様に、転送系装置としてのＥＲ６０は、ＳＳ４０の公開鍵と転送系優先転送情報内の承認情報とに基づいて承認を行う承認手段としての承認部６２と、セッション信号により確立されたセッションごとの制御パラメータ情報を記憶する制御パラメータ記憶手段としての制御パラメータ記憶部６３と、優先シンボルと網内での優先転送に用いるためにパケットのヘッダ内に記述する制御パラメータ情報の対応情報を保持し、承認部６２による承認が成功したときに転送系優先転送情報に含まれる優先シンボルを基に制御パラメータ記憶部６３内の制御パラメータを決定する制御パラメータ決定部６４と、制御パラメータ記憶部６３によって記憶された当該セッションの制御パラメータ情報を主情報のパケットヘッダ内の制御パラメータを表示するフィールドに書き込んで転送する情報転送処理部６５で構成される。
【００２８】
図２、図３は、本発明実施形態にかかわるセッション連動型優先転送システム１１０の動作を説明するために引用した動作シーケンス図である。
以下、図２、図３に示す動作シーケンス図を参照しながら図１に示す本発明実施形態にかかわるセッション連動型優先転送システム１１０の動作について詳細に説明する。
【００２９】
図２に示されるように、端末装置２０は、まず、自身のＵＲＩ（Uniform Resource Identifier）であるＦｒｏｍ、自身のＩＰアドレスである＃１、自身のポート番号であるＰ１、端末装置３０のＵＲＩであるＴｏ、主情報のメディアタイプｍに基づき、ＩＮＶＩＴＥ（Ｆｒｏｍ、Ｔｏ、＃１、ＳＤＰ（ｍ、Ｐ１））リクエストを生成する。そして、生成したＩＮＶＩＴＥ（＃１、ＳＤＰ（ｍ、Ｐ１））リクエストを、送受信部２３経由でＳＳ４０に送信して端末装置３０との接続を要求する（Ｓ１０１）。なお、全てのＩＮＶＩＴＥには、Ｆｒｏｍ、Ｔｏが入っているものとする。
ここで、ＩＮＶＩＴＥ（）リクエストは、（）内の情報をパラメータとしたＳＩＰメッセージである。以降の端末２０と端末３０間でやりとりされる一連のＳＩＰメッセージには、一意のＣａｌｌ−ＩＤが付与されることとする。これにより、どの信号に対する応答かが認識できるようになる。また、ＳＤＰ（）は、（）内の情報をＳＤＰで記述した情報である。
【００３０】
ＳＳ４０は、送受信部４１で受信したＩＮＶＩＴＥ（＃１、ＳＤＰ（ｍ、Ｐ１））より＃１、Ｔｏ、ｍを取得し、さらに、予め内部、あるいは外部に保有してあるＵＲＩ−ＩＰ変換表より、Ｔｏ→＃２というアドレス解決を実施することで端末装置３０のＩＰアドレス＃２を取得する。これらの情報を基に、予めＳＳ４０内部に設定されている＃１、＃２、ｍと優先シンボルＰｒとの対応関係を示すテーブルから該当する優先シンボルを優先シンボル生成部４３で生成する（Ｓ１０２）。このテーブルは、＃１、＃２およびメディアタイプｍとの組合せから設定される優先シンボルの種類、例えば高優先度合，通常，低優先度合などの優先レベルが示されている。すなわち、優先シンボルとは、端末装置２０と端末装置３０の間でやりとりされる主情報に付与する制御パラメータの判定基準となるＳＳ４０で設定される仮の制御パラメータである。
同時に、１００Ｔｒｙｉｎｇ（）レスポンスを生成し、生成した１００Ｔｒｙｉｎｇレスポンスを送受信部４１経由で端末装置２０に送信する。ここで、１００Ｔｒｙｉｎｇレスポンスは、（）内の情報をパラメータとしたＳＩＰメッセージである。＃１と＃２とｍがＰｒを生成する際の材料になる。
【００３１】
ＳＳ４０は、ステップＳ１１で端末装置２０によって送信されたＩＮＶＩＴＥ（Ｆｒｏｍ、Ｔｏ、＃１、ＳＤＰ（ｍ、Ｐ１））リクエストにより得た＃１とｍとＰ１に加え、新たに＃２と後述するＳｉｇｎの有効期間を示すｔｉｍｅを加えてＩＮＶＩＴＥ（＃１、＃２、ＳＤＰ（ｍ、Ｐ１、ｔｉｍｅ））リクエストを生成し、生成したリクエストを送受信部４１経由で端末装置３０に送信する（Ｓ１０３）。
【００３２】
一方、端末装置３０は、ステップＳ１３でＳＳ４０によって送信されたＩＮＶＩＴＥ（＃１、＃２、ＳＤＰ（ｍ、Ｐ１、ｔｉｍｅ））リクエストを送受信部３３で受信すると、自身のＩＰアドレスである＃２とポート番号であるＰ２に基づいて２００ＯＫ（＃２、ＳＤＰ（Ｐ２））レスポンスを生成し、生成した２００ＯＫ（＃２、ＳＤＰ（Ｐ２））レスポンスを送受信部３３経由でＳＳ４０に送信する（Ｓ１０４）。
ここで、２００ＯＫレスポンスは、（）内の情報をパラメータとしたＳＩＰメッセージである。
【００３３】
ＳＳ４０は、ステップＳ１３で端末装置３０によって送信された２００ＯＫ（＃２、ＳＤＰ（Ｐ２））レスポンスを送受信部４１で受信すると、ここまでに得た＃１、＃２、Ｐ１、Ｐ２、Ｐｒ、ｔｉｍｅとを自身の秘密鍵で暗号化して優先シンボルを含んだ承認情報である、Ｓｉｇｎ（＃１、＃２、Ｐ１、Ｐ２、Ｐｒ、ｔｉｍｅ)を承認情報生成部４２で生成し、ここで生成されたＳｉｇｎ（＃１、＃２、Ｐ１、Ｐ２、Ｐｒ、ｔｉｍｅ)と、２００ＯＫ（＃２、ＳＤＰ（Ｐ２））レスポンス内のＰ２と、Ｐｒとｔｉｍｅとに基づいて２００ＯＫ（＃２、Ｐｒ、ＳＤＰ（Ｐ２、ｔｉｍｅ)、Ｓｉｇｎ（＃１、＃２、Ｐ１、Ｐ２、Ｐｒ、ｔｉｍｅ））レスポンスを生成し、生成した２００ＯＫ（＃２、Ｐｒ、ＳＤＰ（Ｐ２、ｔｉｍｅ)、Ｓｉｇｎ（＃１、＃２、Ｐ１、Ｐ２、Ｐｒ、ｔｉｍｅ））レスポンスを送受信部４１経由で端末装置２０に送信する（Ｓ１０５）。
ここで、Ｓｉｇｎ（）は、（）内の情報の電子署名情報である。
【００３４】
端末装置２０は、Ｓ１５でＳＳ４０によって送信された２００ＯＫ（＃２、Ｐｒ、ＳＤＰ（Ｐ２、ｔｉｍｅ)、Ｓｉｇｎ（＃１、＃２、Ｐ１、Ｐ２、Ｐｒ、ｔｉｍｅ））レスポンスを送受信部２３で受信すると、ＡＣＫ（）レスポンスを生成し、生成したＡＣＫレスポンスを送受信部１ ２ ２でＳＳ４０に送信する（Ｓ１０６）。
ここで、ＡＣＫ（）レスポンスは、（）内の情報をパラメータとしたＳＩＰメッセージである。
【００３５】
ＳＳ４０は、ステップＳ１６で端末装置２０によって送信されたＡＣＫ（）レスポンスを送受信部４１で受信すると、ステップＳ１５で生成した優先シンボルを含む承認情報Ｓｉｇｎ（＃１、＃２、Ｐ１、Ｐ２、Ｐｒ、ｔｉｍｅ)を基にＡＣＫ（Ｐｒ、Ｓｉｇｎ（＃１、＃２、Ｐ１、Ｐ２、Ｐｒ、ｔｉｍｅ））レスポンスを生成し、生成したＡＣＫ（Ｐｒ、Ｓｉｇｎ（＃１、＃２、Ｐ１、Ｐ２、Ｐｒ、ｔｉｍｅ））レスポンスを送受信部４１で端末装置３０に送信する（Ｓ１０７）。
【００３６】
端末装置２０は、ステップＳ１５でＳＳ４０によって送信された２００ＯＫ（＃２、Ｐｒ、ＳＤＰ（Ｐ２、ｔｉｍｅ)、Ｓｉｇｎ（＃１、＃２、Ｐ１、Ｐ２、Ｐｒ、ｔ ｉｍｅ））レスポンスを送受信部２３で受信すると、２００ＯＫ（＃２、Ｐｒ、ＳＤＰ（Ｐ２、ｔｉｍｅ)、Ｓｉｇｎ（＃１、＃２、Ｐ１、Ｐ２、Ｐｒ、ｔｉｍｅ））レスポンス内の＃２、Ｐｒ、ｔｉｍｅおよびＳｉｇｎ（＃１、＃２、Ｐ１、Ｐ２、Ｐｒ、ｔｉｍｅ）と、自身のＩＰである＃１とポート番号であるＰ１とに基づいて転送系優先転送情報としてのＳｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））を転送系優先転送情報生成部２５で生成し、生成したＳｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））を送受信部２３経由でＥＲ５０に送信する（Ｓ１０８）。
【００３７】
ＥＲ５０は、ステップＳ１８で端末装置２０によって送信されたＳｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））を情報転送処理部５１で受信すると、Ｓｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））内のＳｉｇｎ（＃１、＃２、Ｐ１、Ｐ２、Ｐｒ、ｔｉｍｅ）をＳＳ４０の公関鍵で復号化し、そこで得た＃１、＃２、Ｐ１、Ｐ２、Ｐｒ、およびｔｉｍｅと、Ｓｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））内の＃１、＃２、Ｐ１、Ｐ２、Ｐｒおよびｔｉｍｅとを比較してＳｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））を承認部５２で承認する。
【００３８】
続いて、ＥＲ５０は、Ｓｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））の承認が成功すると、ＥＲ５０内部でタイマを起動して、制御パラメータ決定部５４で予め保持している優先シンボルＰｒと実際に主情報に付与する制御パラメータとの対応表よりＰｒを該当制御パラメータへと変換し、制御パラメータ記憶部５３内にその制御パラメータを保持する（Ｓ１０９）。以降、情報転送処理部５１は、ｔｉｍｅ値により設定された所定時間（以下寿命と呼ぶ）が経過するまで端末装置２０の＃１、Ｐ１および端末装置３０の＃２、Ｐ２間で送受信される主情報に対し制御パラメータ記憶部５３内に保持されている該当制御パラメータを読み込み、ネットワーク１１の可能な範囲で優先制御を行う（Ｓ１０９）。例えば、ＲＦＣ２４７５で記載されているＤｉｆｆＳｅｒｖアーキテクチャを用いる場合、ＥＲ５０で、優先シンボル⇔該当ＤＳＣＰ値という変換を制御パラメータ決定部５４で行い、制御パラメータ記憶部５３に、＃１、＃２、Ｐ１、Ｐ２と、それに該当するＤＳＣＰ値を持たせたテーブルを作成する。その後、ｔｉｍｅにより設定された寿命以内に、テーブルに記憶された端末装置のＩＰアドレス及びポートが合致する主情報がやってきた場合、該当するＤＳＣＰ値を主情報に付与することで優先制御を行うことが可能になる。すなわち、制御パラメータ決定部５４は、上記優先レベルを示す優先シンボルと、この優先シンボルの優先レベルに対応したセッション間において相対的な転送性能差をつける優先クラスを示すＤＳＣＰ値の制御パラメータ変換テーブルを有し、情報転送処理部５１は、この制御パラメータ変換テーブルにより、トラフィックの優先制御を行う。
ここでは、優先シンボル⇔該当ＤＳＣＰ値という変換例を示して説明したが、ＥＲ毎に用いられる優先制御のアークテクチャに対応して、優先シンボルを主情報に付加する制御パラメータに変換する上記制御パラメータ変換テーブルを持たせることで、ＳＳ４０が付加した制御パラメータを、異なった優先制御のアーキテクチャを有するＥＲに対して対応させることができる。
【００３９】
一方、端末装置３０は、ステップＳ１０５でＳＳ４０によって送信された２００ＯＫ（＃２、Ｐｒ、ＳＤＰ（Ｐ２、ｔｉｍｅ)、Ｓｉｇｎ（＃１、＃２、Ｐ１、Ｐ２、Ｐｒ、ｔ ｉｍｅ））レスポンスを送受信部３３で受信すると、２００ＯＫ（＃２、Ｐｒ、ＳＤＰ（Ｐ２、ｔｉｍｅ)、Ｓｉｇｎ（＃１、＃２、Ｐ１、Ｐ２、Ｐｒ、ｔｉｍｅ））レスポンス内の＃２、Ｐｒ、ｔｉｍｅおよびＳｉｇｎ（＃１、＃２、Ｐ１、Ｐ２、Ｐｒ、ｔｉｍｅ）と、自身のＩＰである＃１とポート番号であるＰ１とに基づいて転送系優先転送情報としてのＳｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））を転送系優先転送情報生成部３５で生成し、生成したＳｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））を送受信部３３経由でＥＲ６０に送信する（Ｓ１１０）。
【００４０】
ＥＲ６０は、ステップＳ１８で端末装置３０によって送信されたＳｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））を情報転送処理部６１で受信すると、Ｓｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））内のＳｉｇｎ（＃１、＃２、Ｐ１、Ｐ２、Ｐｒ、ｔｉｍｅ）をＳＳ４０の公関鍵で復号化し、そこで得た＃１、＃２、Ｐ１、Ｐ２、Ｐｒ、およびｔｉｍｅと、Ｓｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））内の＃１、＃２、Ｐ１、Ｐ２、Ｐｒおよびｔｉｍｅとを比較してＳｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））を承認部６２で承認する。
【００４１】
続いて、ＥＲ６０は、Ｓｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ））の承認が成功すると、ＥＲ６０内部でタイマを起動して、制御パラメータ決定部６４で予め保持している優先シンボルＰｒと実際に主情報に付与する制御パラメータとの対応表よりＰｒを該当制御パラメータへと変換し、制御パラメータ記憶部６３内にその制御パラメータを保持する（Ｓ１１１）。以降、情報転送処理部６１は、ｔｉｍｅ値により設定された所定時間（以下寿命と呼ぶ）が経過するまで端末装置３０の＃１、Ｐ１および端末装置２０の＃２、Ｐ２間で送受信される主情報に対し制御パラメータ記憶部６３内に保持されている該当制御パラメータを読み込み、ネットワーク１１の可能な範囲で優先制御を行う（Ｓ１１１）。
【００４２】
以上のように、端末装置２０および端末装置３０の間にセッションが確立すると、端末装置２０および端末装置３０は、ＥＲ５０の情報転送処理部５１と、中継網７０と、ＥＲ６０の情報転送処理部６１とを介してＲＴＰ（Real-time Transport Protocol）によって互いに主情報を送受信する（Ｓ１１２）。
【００４３】
また、端末装置２０は、端末装置３０との通信を行っているときに、上記に従ったＳｉｇｎの寿命が尽きる前にＲＥＩＮＶＩＴＥを発行する必要がある。そこで、端末装置２０は、まず、自身のＵＲＩであるＦｒｏｍ、自身のＩＰアドレスである＃１、自身のポート番号であるＰ１、端末装置３０のＵＲＩであるＴｏ、主情報のメディアタイプｍに基づき、ＲＥＩＮＶＩＴＥ（Ｆｒｏｍ、Ｔｏ、＃１、ＳＤＰ（ｍ、Ｐ１））リクエストを生成する。そして、生成したＲＥＩＮＶＩＴＥ（＃１、ＳＤＰ（ｍ、Ｐ１））リクエストを、送受信部２３経由でＳＳ４０に送信して端末装置３０との接続を要求する（図３のＳ１１３）。なお、全てのＲＥＩＮＶＩＴＥに、Ｆｒｏｍ、Ｔｏが入っているものとする。
ここで、ＲＥＩＮＶＩＴＥ（）リクエストは、（）内の情報をパラメータとしたＳＩＰメッセージである。以降の端末２０と端末３０間でやりとりされる一連のＳＩＰメッセージには、一意のＣａｌｌ−ＩＤが付与されることとする。これにより、どの信号に対する応答かが認識できるようになる。また、ＳＤＰ（）は、（）内の情報をＳＤＰで記述した情報である。
【００４４】
ＳＳ４０は、送受信部４１で受信したＲＥＩＮＶＩＴＥ（＃１、ＳＤＰ（ｍ、Ｐ１））より＃１、Ｔｏ、ｍを取得し、さらに、予め内部、あるいは外部に保有してあるＵＲＩ−ＩＰ変換表より、Ｔｏ→＃２というアドレス解決を実施することで端末装置３０のＩＰアドレス＃２を取得する。これらの情報を基に、予めＳＳ４０内部に保有されている＃１、＃２、ｍに対応する優先シンボルＰｒが書かれたテーブルから該当する優先シンボルを優先シンボル生成部４３で生成する（Ｓ１１４）。ここで、優先シンボルとは、端末装置２０と端末装置３０の間でやりとりされる主情報に付与する制御パラメータの基になるものである。
同時に、１００Ｔｒｙｉｎｇ（）レスポンスを生成し、生成した１００Ｔｒｙｉｎｇレスポンスを送受信部４１経由で端末装置２０に送信する。ここで、１００Ｔｒｙｉｎｇレスポンスは、（）内の情報をパラメータとしたＳＩＰメッセージである。＃１と＃２とｍがＰｒを生成する際の材料になる。
【００４５】
ＳＳ４０は、ステップＳ１１で端末装置２０によって送信されたＲＥＩＮＶＩＴＥ（Ｆｒｏｍ、Ｔｏ、＃１、ＳＤＰ（ｍ、Ｐ１））リクエストにより得た＃１とｍとＰ１に加え、新たに＃２と後述するＳｉｇｎの有効期間を示すｔｉｍｅ＿ｎｅｗを加えてＲＥＩＮＶＩＴＥ（＃１、＃２、ＳＤＰ（ｍ、Ｐ１、ｔｉｍｅ＿ｎｅｗ））リクエストを生成し、生成したリクエストを送受信部４１経由で端末装置３０に送信する（Ｓ１１５）。
【００４６】
一方、端末装置３０は、ステップＳ１３でＳＳ４０によって送信されたＲＥＩＮＶＩＴＥ（＃１、＃２、ＳＤＰ（ｍ、Ｐ１、ｔｉｍｅ＿ｎｅｗ））リクエストを送受信部３３で受信すると、自身のＩＰアドレスである＃２とポート番号であるＰ２に基づいて２００ＯＫ（＃２、ＳＤＰ（Ｐ２））レスポンスを生成し、生成した２００ＯＫ（＃２、ＳＤＰ（Ｐ２））レスポンスを送受信部３３経由でＳＳ４０に送信する（Ｓ１１６）。
ここで、２００ＯＫレスポンスは、（）内の情報をパラメータとしたＳＩＰメッセージである。
【００４７】
ＳＳ４０は、ステップＳ１３で端末装置３０によって送信された２００ＯＫ（＃２、ＳＤＰ（Ｐ２））レスポンスを送受信部４１で受信すると、ここまでに得た＃１、＃２、Ｐ１、Ｐ２、Ｐｒ、ｔｉｍｅ＿ｎｅｗとを自身の秘密鍵で暗号化して優先シンボルを含んだ承認情報である、Ｓｉｇｎ（＃１、＃２、Ｐ１、Ｐ２、Ｐｒ、ｔｉｍｅ＿ｎｅｗ)を承認情報生成部４２で生成し、ここで生成されたＳｉｇｎ（＃１、＃２、Ｐ１、Ｐ２、Ｐｒ、ｔｉｍｅ)と、２００ＯＫ（＃２、ＳＤＰ（Ｐ２）レスポンス内のＰ２と、）Ｐｒとｔｉｍｅ＿ｎｅｗとに基づいて２００ＯＫ（＃２、Ｐｒ、ＳＤＰ（Ｐ２、ｔｉｍｅ＿ｎｅｗ)、Ｓｉｇｎ（＃１、＃２、Ｐ１、Ｐ２、Ｐｒ、ｔｉｍｅ＿ｎｅｗ））レスポンスを生成し、生成した２００ＯＫ（＃２、Ｐｒ、ＳＤＰ（Ｐ２、ｔｉｍｅ＿ｎｅｗ)、Ｓｉｇｎ（＃１、＃２、Ｐ１、Ｐ２、Ｐｒ、ｔｉｍｅ＿ｎｅｗ））レスポンスを送受信部４１経由で端末装置２０に送信する（Ｓ１１７）。ここで、Ｓｉｇｎ（）は、（）内の情報の電子署名情報である。
【００４８】
端末装置２０は、Ｓ１５でＳＳ４０によって送信された２００ＯＫ（＃２、Ｐｒ、ＳＤＰ（Ｐ２、ｔｉｍｅ＿ｎｅｗ)、Ｓｉｇｎ（＃１、＃２、Ｐ１、Ｐ２、Ｐｒ、ｔｉｍｅ＿ｎｅｗ））レスポンスを送受信部２３で受信すると、ＡＣＫ（）レスポンスを生成し、生成したＡＣＫレスポンスを送受信部１２２でＳＳ４０に送信する（Ｓ１１８）。
ここで、ＡＣＫ（）レスポンスは、（）内の情報をパラメータとしたＳＩＰメッセージである。
【００４９】
ＳＳ４０は、ステップＳ１６で端末装置２０によって送信されたＡＣＫ（）レスポンスを送受信部４１で受信すると、ステップＳ１５で生成した優先シンボルを含む承認情報Ｓｉｇｎ（＃１、＃２、Ｐ１、Ｐ２、Ｐｒ、ｔｉｍｅ＿ｎｅｗ)を基にＡＣＫ（Ｐｒ、Ｓｉｇｎ（＃１、＃２、Ｐ１、Ｐ２、Ｐｒ、ｔｉｍｅ＿ｎｅｗ））レスポンスを生成し、生成したＡＣＫ（Ｐｒ、Ｓｉｇｎ（＃１、＃２、Ｐ１、Ｐ２、Ｐｒ、ｔｉｍｅ＿ｎｅｗ））レスポンスを送受信部４１で端末装置３０に送信する（Ｓ１１９）。
【００５０】
端末装置２０は、ステップＳ１１７でＳＳ４０によって送信された２００ＯＫ（＃２、Ｐｒ、ＳＤＰ（Ｐ２、ｔｉｍｅ＿ｎｅｗ)、Ｓｉｇｎ（＃１、＃２、Ｐ１、Ｐ２、Ｐｒ、ｔｉｍｅ＿ｎｅｗ））レスポンスを送受信部２３で受信すると、２００ＯＫ（＃２、Ｐｒ、ＳＤＰ（Ｐ２、ｔｉｍｅ＿ｎｅｗ)、Ｓｉｇｎ（＃１、＃２、Ｐ１、Ｐ２、Ｐｒ、ｔｉｍｅ＿ｎｅｗ））レスポンス内の＃２、Ｐｒ、ｔｉｍｅ＿ｎｅｗおよびＳｉｇｎ（＃１、＃２、Ｐ１、Ｐ２、Ｐｒ、ｔｉｍｅ＿ｎｅｗ）と、自身のＩＰである＃１とポート番号であるＰ１とに基づいて転送系優先転送情報としてのＳｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））を転送系優先転送情報生成部２５で生成し、生成したＳｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））を送受信部２３経由でＥＲ５０に送信する（Ｓ１２０）。
【００５１】
ＥＲ５０は、ステップＳ１２０で端末装置２０によって送信されたＳｔａｒｔ（＃１、＃２、Ｐ１、Ｐ２、Ｐｒ、ｔｉｍｅ、Ｓｉｇｎ（＃１、＃２、Ｐ１、Ｐ２、Ｐｒ、ｔｉｍｅ＿ｎｅｗ））を情報転送処理部５１で受信すると、Ｓｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））内のＳｉｇｎ（＃１、＃２、Ｐ１、Ｐ２、Ｐｒ、ｔｉｍｅ＿ｎｅｗ）をＳＳ４０の公関鍵で復号化し、そこで得た＃１、＃２、Ｐ１、Ｐ２、Ｐｒ、およびｔｉｍｅ＿ｎｅｗと、Ｓｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））内の＃１、＃２、Ｐ１、Ｐ２、Ｐｒおよびｔｉｍｅ＿ｎｅｗとを比較してＳｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））を承認部５２で承認する。
【００５２】
続いて、ＥＲ５０は、Ｓｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））の承認が成功すると、ＥＲ５０内部でタイマを起動して、制御パラメータ決定部５４で予め保持している優先シンボルＰｒと実際に主情報に付与する制御パラメータとの対応表よりＰｒを該当制御パラメータへと変換し、制御パラメータ記憶部５３内にその制御パラメータを保持する。
以降、情報転送処理部５１は、ｔｉｍｅ＿ｎｅｗ値により設定された所定時間（以下寿命と呼ぶ）が経過するまで端末装置２０の＃１、Ｐ１および端末装置３０の＃２、Ｐ２間で送受信される主情報に対し制御パラメータ記憶部５３内に保持されている該当制御パラメータを読み込み、ネットワーク１１の可能な範囲で優先制御を行う（Ｓ１２１）。
【００５３】
一方、ＥＲ６０は、ステップＳ１２２で端末装置３０によって送信されたＳｔａｒｔ（＃１、＃２、Ｐ１、Ｐ２、Ｐｒ、ｔｉｍｅ＿ｎｅｗ))を情報転送処理部６１でＳｔａｒｔ（＃１、＃２、Ｐ１、Ｐ２、Ｐｒ、ｔｉｍｅ＿ｎｅｗ、Ｓｔａｒｔ（＃１、＃２、Ｐ１、Ｐ２、Ｐｒ、ｔｉｍｅ＿ｎｅｗ))内のＳｉｇｎ（＃１、＃２、Ｐ１、Ｐ２、Ｐｒ、ｔｉｍｅ＿ｎｅｗ）をＳＳ４０の公関鍵で復号化して得られる＃１＃２、Ｐ１、Ｐ２、Ｐｒ、およびｔｉｍｅ＿ｎｅｗと、Ｓｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））内の＃１、＃２、Ｐ１、Ｐ２、Ｐｒ、およびｔｉｍｅ＿ｎｅｗとを比較し、Ｓｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））を承認部６２で承認する。
【００５４】
続いて、ＥＲ６０は、Ｓｔａｒｔ（＃１、＃２、Ｐ１、Ｐ２、Ｐｒ、ｔｉｍｅ＿ｎｅｗ、Ｓｉｇｎ（＃１、＃２、Ｐ１、Ｐ２、Ｐｒ、ｔｉｍｅ＿ｎｅｗ））の承認が成功すると、起動中のタイマが寿命以内の場合、該当テーブルの寿命をｔｉｍｅ＿ｎｅｗ値に再設定する。起動中のタイマの寿命が尽きていた場合、ＥＲ６０内部でタイマを再起動して、制御パラメータ決定部５４であらかじめ保持している優先シンボルＰｒと実際に主情報に付与する制御パラメータとの対応表よりＰｒを該当制御パラメータへと変換し、制御パラメータ記憶部６３内にその制御パラメータを保持する。以降、情報転送処理部６１は、ｔｉｍｅ＿ｎｅｗ値により設定された所定時間（以下寿命と呼ぶ）が経過するまで端末装置２０の＃１、Ｐ１および端末装置３０の＃２、Ｐ２間で送受信される主情報に対し制御パラメータ記憶部６３内に保持されている該当制御パラメータを読み込み、ネットワーク１１の可能な範囲で優先制御を行う（Ｓ１２３）。
【００５５】
以上のようにして端末装置２０および端末装置３０の間のセッションが継続されると、端末装置２０および端末装置３０は、引き続き、ＥＲ５０の情報転送処理部５１と、中継網７０と、ＥＲ６０の情報転送処理部６１とを介してＲＴＰによって互いに主情報を送受信する（Ｓ１２４）。
そして、端末装置２０は、端末装置３０との通信が終了すると、ＳＩＰメッセージであるＢＹＥリクエストを生成し、生成したＢＹＥリクエストを送受信部２３経由でＳＳ４０に送信する（Ｓ１２５）。
【００５６】
端末装置２０は、ＢＹＥリクエストをＳＳ４０に送信すると、ステップＳ１１７でＳＳ４０によって送信された２００ＯＫ（＃２、Ｐｒ、ＳＤＰ（Ｐ２、ｔｉｍｅ＿ｎｅｗ、Ｓｉｇｎ（＃１、＃２、Ｐ１、Ｐ２、Ｐｒ、ｔｉｍｅ＿ｎｅｗ））レスポンスの、＃２、Ｐ２、Ｐｒ、ｔｉｍｅ＿ｎｅｗ、およびＳｉｇｎ（＃１、＃２、Ｐ１、Ｐ２、Ｐｒ、ｔｉｍｅ＿ｎｅｗ)と、自身のＩＰである＃１とポート番号であるＰ１とに基づいて転送系優先転送情報としてのＥｎｄ（＃１、＃２、Ｐ１、Ｐ２、Ｓｉｇｎ（＃１、＃２、Ｐ１、Ｐ２））を転送系優先転送情報生成部２５で生成する。そして、ここで生成されたＥｎｄ（＃１、＃２、Ｐ１、Ｐ２、Ｓｉｇｎ（＃１、＃２、Ｐ１、Ｐ２））を送受信部２３経由でＥＲ５０に送信する（Ｓ１２６）。ここで、Ｅｎｄ（）は、（）内の情報をパラメータとしたＥＲの制御情報である。
【００５７】
ＥＲ５０は、端末装置２０によって送信されたＥｎｄ（＃１、＃２、Ｐ１、Ｐ２、Ｓｉｇｎ（＃１、＃２、Ｐ１、Ｐ２))を情報転送処理部５１で受信すると、Ｅｎｄ（＃１、＃２、Ｐ１、Ｐ２、Ｓｉｇｎ（＃１、＃２、Ｐ１、Ｐ２））内のＳｉｇｎ（＃１、＃２、Ｐ１、Ｐ２）をＳＳ４０の公関鍵で復号化し、Ｓｉｇｎ（＃１、＃２、Ｐ１、Ｐ２、Ｐｒ、ｔｉｍｅ＿ｎｅｗ)を復号化して得た＃１、＃２、Ｐ１、Ｐ２と、Ｅｎｄ（＃１、＃２、Ｐ１、Ｐ２、Ｓｉｇｎ（＃１、＃２、Ｐ１、Ｐ２））内の＃１、＃２、Ｐ１、Ｐ２とを比較してＥｎｄ（＃１、＃２、Ｐ１、Ｐ２、Ｓｉｇｎ（＃１、＃２、Ｐ１、Ｐ２））を承認部５２で承認する。
【００５８】
続いて、ＥＲ５０は、Ｅｎｄ（＃１、＃２、Ｐ１、Ｐ２、Ｓｉｇｎ（＃１、＃２、Ｐ１、Ｐ２））の承認が成功すると、起動中のタイマとが寿命を超えているか否かの比較を行い起動中のタイマが寿命以内の場合、起動中のタイマを停止し、端末装置２０の＃１、Ｐ１および端末装置３０の＃２、Ｐ２の間で送受信される主情報を優先転送させないように、Ｅｎｄ（＃１、＃２、Ｐ１、Ｐ２、Ｓｉｇｎ（＃１、＃２、Ｐ１、Ｐ２))内の＃１、＃２、Ｐ１およびＰ２に基づいて制御パラメータ記憶部５３内の該当制御パラメータを削除する（Ｓ１２７）。なお、タイマの寿命が尽きている場合には何もしない。
【００５９】
また、ＳＳ４０は、ステップＳ１２５で端末装置２０によって送信されたＢＹＥリクエストを送受信部４１で受信すると、ＢＹＥリクエストを生成し、生成したＢＹＥリクエストを送受信部４１経由で端末装置３０に送信する（Ｓ１２８）。
【００６０】
端末装置３０は、ステップＳ１２８により、ＳＳ４０によって送信されたＢＹＥリクエストを送受信部３３経由で受信すると、ＳＳ４０によって送信されたＲＥＩＮＶＩＴＥ（＃１、＃２、ＳＤＰ（ｍ、Ｐ１、ｔｉｍｅ＿ｎｅｗ))リクエスト内の、＃１、＃２、Ｐ１、Ｐ２およびｔｉｍｅ＿ｎｅｗと、ＳＳ４０によって送信されたＡＣＫ（Ｐｒ、Ｓｉｇｎ（＃１、＃２、Ｐ１、Ｐ２、Ｐｒ、ｔｉｍｅ＿ｎｅｗ））レスポンス内のＰｒとに基づいて転送系優先転送情報としてのＥｎｄ（＃１、＃２、Ｐ１、Ｐ２、Ｓｉｇｎ（＃１、＃２、Ｐ１、Ｐ２））を転送系優先転送情報生成部２５で生成し、生成したＥｎｄ（＃１、＃２、Ｐ１、Ｐ２、Ｓｉｇｎ（＃１、＃２、Ｐ１、Ｐ２））を送受信部３３経由でＥＲ６０に送信する（Ｓ１２９）。
【００６１】
ＥＲ６０は、ステップＳ１２９で端末装置３０によって送信されたＥｎｄ（＃１、＃２、Ｐ１、Ｐ２、Ｓｉｇｎ（＃１、＃２、Ｐ１、Ｐ２))を情報転送処理部６１で受信すると、Ｅｎｄ（＃１、井２、Ｐ１、Ｐ２、Ｓｉｇｎ（＃１、＃２、Ｐ１、Ｐ２))内のＳｉｇｎ（＃１、＃２、Ｐ１、Ｐ２）をＳＳ４０の公開鍵で復号化し、Ｓｉｇｎ（＃１、＃２、Ｐ１、Ｐ２）を復号化して得た＃１、＃２、Ｐ１、Ｐ２と、Ｅｎｄ（＃１、＃２、Ｐ１、Ｐ２、Ｓｉｇｎ（＃１、＃２、Ｐ１、Ｐ２））内の＃１、＃２、Ｐ１、Ｐ２とを比較してＥｎｄ（＃１、＃２、Ｐ１、Ｐ２、Ｓｉｇｎ（＃１、＃２、Ｐ１、Ｐ２））を承認部６２で承認する。
【００６２】
ＥＲ６０は、Ｅｎｄ（＃１、＃２、Ｐ１、Ｐ２、Ｓｉｇｎ（＃１、＃２、Ｐ１、Ｐ２））の承認が成功すると、起動中のタイマとが寿命を超えているか否かの比較を行い起動中のタイマが寿命以内の場合、起動中のタイマを停止し、端末装置２０の＃１、Ｐ１および端末装置３０の＃２、Ｐ２の間で送受信される主情報を優先転送させないように、Ｅｎｄ（＃１、＃２、Ｐ１、Ｐ２、Ｓｉｇｎ（＃１、＃２、Ｐ１、Ｐ２））内の＃１、＃２、Ｐ１およびＰ２に基づいて制御パラメータ記憶部６３内の該当制御パラメータを削除する（Ｓ１３０）。なお、タイマの寿命が尽きている場合には何もしない。
【００６３】
以上説明のように本発明によれば、通信の内容に応じた制御パラメータ付けが従来に比較して容易に行うことができ、ここで付与された制御パラメータの正当性は従来に比較して信頼性が高く、網を跨る通信の際にも網毎に適切な制御パラメータを付与すること容易としたセッション連動型優先転送システム、および同システムにおける制御系装置、転送系装置、端末装置ならびにプログラムを提供することが出来る。
なお、上記した一連の処理は、端末装置２０および端末装置３０の間でセッションが継続されているときに複数回繰り返されるようになっていても良いし、省略されていても良い。
【００６４】
また、図１に示す端末装置２０、３０を構成する、送受信部２３、３３と転送系優先転送情報生成部２５、３５、セッション制御サーバ４０を構成する、送受信部４１と承認情報生成部４２と優先シンボル生成部４３、そして、転送系装置５０、６０を構成する、情報転送処理部５１、６１と承認部５２、６２と制御パラメータ記憶部５３、６３と制御パラメータ決定部５４、６４のそれぞれで実行される手順をコンピュータ読み取り可能な記録媒体に記録し、この記録媒体に記録されたプログラムをコンピュータシステムに読み込ませ、実行することによって本発明の端末装置、制御系装置、転送系装置を実現することができる。ここでいうコンピュータシステムとは、ＯＳ（Operating System）や周辺装置等のハードウェアを含む。
【００６５】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００６６】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００６７】
【図１】本発明実施形態にかかわるセッション連動型優先転送システムのシステム構成の一例を示す図である。
【図２】本発明実施形態にかかわるセッション連動型優先転送システムの動作を示す動作シーケンス図である。
【図３】本発明実施形態にかかわるセッション連動型優先転送システムの動作を示す動作シーケンス図である。
【符号の説明】
【００６８】
１０…セッション連動型優先転送システム、２０、３０…端末装置、２３、３３、４１…送受信部（情報転送手段）、２５、３５…転送系優先転送情報生成部（転送系優先転送情報生成手段）、４０…セッション制御サーバ（ＳＳ：制御系装置）、５０、６０…転送系装置（ＥＲ）、５１、６１…情報転送処理部（情報転送手段）、５２、６２…承認部（承認手段）、５３、６３…制御パラメータ記憶部（制御パラメータ記憶手段）、５４、６４…制御パラメータ決定部（優先決定手段）
【図１】
2006246144.tif 000003
【図２】
2006246144.tif 000004
【図３】
2006246144.tif 000005